(57)【要約】【課題】導光板を光源側に付勢する部材を別途設けることなく光源と導光板との間のクリアランスを一定に保つことが可能な液晶表示モジュールを提供する。【解決手段】この液晶表示モジュール２０は、液晶表示セル７０と、ＬＥＤ５１と、ＬＥＤ５１から光が入射される側方端面からなる光入射面５３ａと、下端部に設けられた第１当接部６１および第２当接部６２とを含み、ＬＥＤ５１から光入射面５３ａに入射された光を液晶表示セル７０に導光する導光板５３と、導光板５３の当接部と当接して導光板５３を下方から支持する支持部材とを備え、導光板５３の当接部および支持部材の少なくとも一方は、導光板５３の光入射面５３ａ側が低くなるように傾斜した傾斜面を有し、支持部材は、導光板５３が自重により傾斜面に沿ってＬＥＤ５１側に移動可能なように、導光板５３の当接部を支持するように構成されている。【選択図】図６
2012230243.tif 000002
【特許請求の範囲】
【請求項１】
液晶表示セルと、
光源と、
前記光源から光が入射される側方端面からなる光入射面と、下端部に設けられた当接部とを含み、前記光源から前記光入射面に入射された光を前記液晶表示セルに導光する導光板と、
前記導光板の当接部と当接して前記導光板を下方から支持する支持部材とを備え、
前記導光板の当接部および前記支持部材の少なくとも一方は、前記導光板の前記光入射面側が低くなるように傾斜した傾斜面を有し、
前記支持部材は、前記導光板が自重により前記傾斜面に沿って前記光源側に移動可能なように、前記導光板の当接部を支持するように構成されている、液晶表示モジュール。
【請求項２】
前記導光板の当接部は、前記光入射面側が低くなるように傾斜した第１傾斜面を有し、
前記支持部材は、前記第１傾斜面と面接触するとともに相対移動可能に当接する第２傾斜面を含む、請求項１に記載の液晶表示モジュール。
【請求項３】
前記第１傾斜面は、前記導光板の当接部に一体的に形成され、
前記第２傾斜面は、前記支持部材に一体的に形成されている、請求項２に記載の液晶表示モジュール。
【請求項４】
前記当接部は、前記導光板の下端部において、前記光入射面側の位置に配置された第１当接部と、前記光入射面とは反対側の位置に配置された第２当接部とを含み、
前記支持部材は、前記第１当接部および第２当接部にそれぞれ対応する、前記第１支持部材および第２支持部材を含む、請求項１〜３のいずれか１項に記載の液晶表示モジュール。
【請求項５】
前記導光板の光入射面側の位置に配置され、前記光源と前記導光板の前記光入射面との間隔が所定距離になるように前記導光板を位置決めする位置決め部をさらに備える、請求項１〜４のいずれか１項に記載の液晶表示モジュール。
【請求項６】
前記位置決め部は、前記支持部材に一体的に形成されている、請求項５に記載の液晶表示モジュール。
【請求項７】
前記位置決め部は、前記導光板の前記光入射面と当接して前記導光板の位置決めを行うように構成されている、請求項５または６に記載の液晶表示モジュール。
【請求項８】
前記導光板と前記支持部材との間に設けられ、前記導光板と前記支持部材との間の摩擦を低減するための摩擦低減部材をさらに備える、請求項１〜７のいずれか１項に記載の液晶表示モジュール。
【請求項９】
前記光源および前記導光板を保持する保持部材をさらに備え、
前記支持部材は、前記保持部材に一体的に形成されている、請求項１〜８のいずれか１項に記載の液晶表示モジュール。
【請求項１０】
液晶表示セルと、
光源と、
前記光源から光が入射される側方端面からなる光入射面と、下端部に設けられた当接部とを有し、前記光源から前記光入射面に入射された光を前記液晶表示セルに導光する導光板と、
前記導光板の当接部と当接して前記導光板を下方から支持する支持部材とを含む液晶表示モジュールと、
前記液晶表示モジュールを内部に収容する筐体とを備え、
前記導光板の当接部および前記支持部材の少なくとも一方は、前記導光板の前記光入射面側が低くなるように傾斜した傾斜面を有し、
前記支持部材は、前記導光板が自重により前記傾斜面に沿って前記光源側に移動可能なように、前記導光板の当接部を支持するように構成されている、液晶表示装置。
【発明の詳細な説明】
【技術分野】
【０００１】
この発明は、液晶表示モジュールおよび液晶表示装置に関し、特に、光源から光が入射される側方端面からなる光入射面を有する導光板を備える液晶表示モジュールおよび液晶表示装置に関する。
【背景技術】
【０００２】
従来、光源から光が入射される側方端面からなる光入射面を有する導光板を備える液晶表示モジュールが知られている（たとえば、特許文献１参照）。
【０００３】
上記特許文献１には、ＬＥＤ（光源）から入射された光を液晶表示パネルに導光する長方形状の導光板と、導光板およびＬＥＤを収容して保持する凹状のフレームとを備える液晶表示モジュールが開示されている。この液晶表示モジュールでは、長方形の枠状形状を有するフレームの左内側面にＬＥＤが固定され、導光板の短辺側の側方端面（左側端面）がＬＥＤと所定の間隔（クリアランス）を隔てて横方向に対向するようにフレーム内に収容されている。導光板の長辺側の端面には、外側に突出する突起部が設けられており、フレームの長辺側の内側面には、導光板の突起部と対応する凹部が形成されている。フレームは、導光板の熱膨張を考慮して導光板よりも一回り大きい内部空間を有する。このため、導光板がＬＥＤに近づく方向にずれる場合、導光板の突起部とフレームの凹部の内側面とが当接して導光板が位置決めされる。また、導光板がＬＥＤから離れる方向にずれる場合、導光板の右側端面（光入射面とは反対側の端面）とフレームの内側面とが当接して導光板が位置決めされる。これにより、導光板のＬＥＤと対向する横方向の位置ずれが、所定範囲内に収まるように構成されている。
【先行技術文献】
【特許文献】
【０００４】
【特許文献１】特開２００５−３０２４８５号公報
【発明の概要】
【発明が解決しようとする課題】
【０００５】
しかしながら、上記特許文献１に記載の液晶表示モジュールでは、ＬＥＤと対向する横方向に導光板の位置ずれが発生すると、ＬＥＤと導光板の光入射面（左側端面）との間の間隔（クリアランス）が変化する。このような液晶表示モジュールを据え置き型の液晶表示装置に設けた場合、液晶表示装置の横方向（ＬＥＤと導光板の光入射面とが対向する方向）に外力は働かないので、導光板の位置ずれが発生する度にクリアランスが変化する。この場合、クリアランスの変化に起因して導光板への光の入光効率が変化し、その結果、液晶表示パネルの輝度が変化してしまうという不都合がある。このように、上記特許文献１に記載の液晶表示モジュールでは、光源と導光板の光入射面との間隔（クリアランス）を一定に保つことができないという問題点がある。また、この対策として導光板を光源側に付勢するバネ部材などを別途設けることも考えられる。しかし、この場合には、その分、構造が複雑になるという問題点が新たに発生する。
【０００６】
この発明は、上記のような課題を解決するためになされたものであり、この発明の１つの目的は、導光板を光源側に付勢する部材を別途設けることなく光源と導光板との間のクリアランスを一定に保つことが可能な液晶表示モジュールおよび液晶表示装置を提供することである。
【課題を解決するための手段および発明の効果】
【０００７】
この発明の第１の局面による液晶表示モジュールは、液晶表示セルと、光源と、光源から光が入射される側方端面からなる光入射面と、下端部に設けられた当接部とを含み、光源から光入射面に入射された光を液晶表示セルに導光する導光板と、導光板の当接部と当接して導光板を下方から支持する支持部材とを備え、導光板の当接部および支持部材の少なくとも一方は、導光板の光入射面側が低くなるように傾斜した傾斜面を有し、支持部材は、導光板が自重により傾斜面に沿って光源側に移動可能なように、導光板の当接部を支持するように構成されている。
【０００８】
この発明の第１の局面による液晶表示モジュールでは、上記のように、導光板の当接部および支持部材の少なくとも一方に、導光板の光入射面側が低くなるように傾斜した傾斜面を設けるとともに、支持部材を、導光板が自重により傾斜面に沿って光源側に移動可能なように、導光板の当接部を支持するように構成することによって、導光板の位置ずれが発生して光源と導光板との間の間隔（クリアランス）が変化した場合でも、導光板が自重により傾斜面に沿って光源側に移動するので、導光板を光源側に付勢するバネ部材などを別途設けることなく、光源と導光板との間のクリアランスが最も小さくなる状態を基準として、光源と導光板との間のクリアランスの変化を元に戻すことができる。これにより、導光板を光源側に付勢する部材を別途設けることなく、光源と導光板との間のクリアランスを一定に保つことができる。その結果、構造を複雑にさせることなく、光源と導光板との間のクリアランスを一定に保つことができる。
【０００９】
上記第１の局面による液晶表示モジュールにおいて、好ましくは、導光板の当接部は、光入射面側が低くなるように傾斜した第１傾斜面を有し、支持部材は、第１傾斜面と面接触するとともに相対移動可能に当接する第２傾斜面を含む。このように構成すれば、当接部の第１傾斜面と支持部材の第２傾斜面とが面接触するので、導光板（第１傾斜面）を支持部材（第２傾斜面）に対して移動可能にしながら、支持部材が導光板を安定して支持することができる。
【００１０】
この場合、好ましくは、第１傾斜面は、導光板の当接部に一体的に形成され、第２傾斜面は、支持部材に一体的に形成されている。このように構成すれば、第１傾斜面および第２傾斜面をそれぞれ導光板および支持部材に一体的に設けることができるので、第１傾斜面および第２傾斜面を別部材により構成する場合と比べて、部品点数が増加するのを抑制することができる。これによっても、構造が複雑化するのを抑制することができる。
【００１１】
上記第１の局面による液晶表示モジュールにおいて、好ましくは、当接部は、導光板の下端部において、光入射面側の位置に配置された第１当接部と、光入射面とは反対側の位置に配置された第２当接部とを含み、支持部材は、第１当接部および第２当接部にそれぞれ対応する、第１支持部材および第２支持部材を含む。このように構成すれば、光入射面側の位置に配置された第１当接部と、光入射面とは反対側の位置に配置された第２当接部とを、それぞれ対応する第１支持部材と第２支持部材とにより支持することができる。これにより、導光板の下端部を光入射面側の位置と光入射面とは反対側の位置とで安定して支持することができる。
【００１２】
上記第１の局面による液晶表示モジュールにおいて、好ましくは、導光板の光入射面側の位置に配置され、光源と導光板の光入射面との間隔が所定距離になるように導光板を位置決めする位置決め部をさらに備える。このように構成すれば、位置決め部によって、導光板が自重により傾斜面に沿って光源側に移動した場合に基準となる、光源と導光板との間のクリアランスが最も小さくなる位置を正確に位置決めすることができる。また、位置決め部が光入射面側の位置に配置されるので、導光板の熱膨張に起因するクリアランスの変化を抑制することができる。
【００１３】
この場合、好ましくは、位置決め部は、支持部材に一体的に形成されている。このように構成すれば、位置決め部を支持部材とは別個に設ける必要がないため、部品点数が増加するのを抑制することができ、その結果、構造を簡素化することができる。
【００１４】
上記位置決め部を備える構成において、好ましくは、位置決め部は、導光板の光入射面と当接して導光板の位置決めを行うように構成されている。このように構成すれば、光源側の側方端面である光入射面と当接して位置決めを行うため、導光板の位置ずれに加えて、導光板の熱膨張に起因するクリアランスの変化も防止することができる。すなわち、本発明では、導光板が自重により傾斜面に沿って光源側に移動するので、熱膨張により導光板の寸法が変化したとしても、光入射面が位置決め部と当接する基準位置まで導光板を光源側に移動させることができる。この結果、光源と光入射面とのクリアランスを確実に一定に保つことができる。
【００１５】
上記第１の局面による液晶表示モジュールにおいて、好ましくは、導光板と支持部材との間に設けられ、導光板と支持部材との間の摩擦を低減するための摩擦低減部材をさらに備える。このように構成すれば、摩擦低減部材によって導光板を傾斜面に沿って移動させやすくすることができるので、傾斜面の傾斜角度が小さくても、容易に、導光板を自重によって傾斜面に沿って移動させることができる。
【００１６】
上記第１の局面による液晶表示モジュールにおいて、好ましくは、光源および導光板を保持する保持部材をさらに備え、支持部材は、保持部材に一体的に形成されている。このように構成すれば、光源および導光板を保持する保持部材に支持部材が一体形成されるので、部品点数が増加するのを抑制することができる。
【００１７】
この発明の第２の局面による液晶表示装置は、液晶表示セルと、光源と、光源から光が入射される側方端面からなる光入射面と、下端部に設けられた当接部とを有し、光源から光入射面に入射された光を液晶表示セルに導光する導光板と、導光板の当接部と当接して導光板を下方から支持する支持部材とを含む液晶表示モジュールと、液晶表示モジュールを内部に収容する筐体とを備え、導光板の当接部および支持部材の少なくとも一方は、導光板の光入射面側が低くなるように傾斜した傾斜面を有し、支持部材は、導光板が自重により傾斜面に沿って光源側に移動可能なように、導光板の当接部を支持するように構成されている。
【００１８】
この発明の第２の局面による液晶表示装置では、上記のように、導光板の当接部および支持部材の少なくとも一方に、導光板の光入射面側が低くなるように傾斜した傾斜面を設けるとともに、支持部材を、導光板が自重により傾斜面に沿って光源側に移動可能なように、導光板の当接部を支持するように構成することによって、導光板の位置ずれが発生して光源と導光板との間の間隔（クリアランス）が変化した場合でも、導光板が自重により傾斜面に沿って光源側に移動するので、導光板を光源側に付勢するバネ部材などを別途設けることなく、光源と導光板との間のクリアランスが最も小さくなる状態を基準として、光源と導光板との間のクリアランスの変化を元に戻すことができる。これにより、導光板を光源側に付勢する部材を別途設けることなく、光源と導光板との間のクリアランスを一定に保つことができる。その結果、液晶表示装置の構造を複雑にさせることなく、光源と導光板との間のクリアランスを一定に保つことができる。
【図面の簡単な説明】
【００１９】
【図１】本発明の第１および第２実施形態による液晶テレビジョンの全体構成を示した斜視図である。
【図２】本発明の第１実施形態による液晶テレビジョンの内部構成を示した分解斜視図である。
【図３】図２の１５０−１５０線に沿った液晶表示モジュールの水平断面図である。
【図４】本発明の第１実施形態による液晶表示モジュールのＬＥＤおよびＬＥＤ基板の構成を示した斜視図である。
【図５】本発明の第１実施形態による液晶表示モジュールのリアフレームと、リアフレームに保持された導光板、ＬＥＤ基板およびＬＥＤとを平面的に見た図である。
【図６】図５に示した液晶表示モジュールの導光板とリアフレームの第１および第２支持部とを説明するための拡大平面図である。
【図７】図６に示した液晶表示モジュールの導光板の移動（位置ずれ）を説明するための拡大図である。
【図８】図６に示した液晶表示モジュールの導光板の移動（位置ずれ）が元に戻る際の動きを説明するための拡大図である。
【図９】本発明の第２実施形態による液晶テレビジョンにおける導光板と、リアフレームの第１および第２支持部とを説明するための拡大平面図である。
【図１０】本発明の第１および第２実施形態による液晶表示モジュールの第１変形例におけるリアフレームおよび導光板を示す平面図である。
【図１１】本発明の第１および第２実施形態による液晶表示モジュールの第２変形例におけるリアフレームおよび導光板を示す平面図である。
【発明を実施するための形態】
【００２０】
以下、本発明の実施形態を図面に基づいて説明する。
【００２１】
（第１実施形態）
まず、図１〜図７を参照して、本発明の第１実施形態による液晶テレビジョン１００の構成について説明する。なお、液晶テレビジョン１００は、本発明の「液晶表示装置」の一例である。
【００２２】
本発明の第１実施形態による液晶テレビジョン１００は、図１に示すように、筐体１０と、表示画面を構成する液晶表示セル７０を有する液晶表示モジュール２０と、筐体１０を下方から（矢印Ｚ２方向側から）支持するスタンド部材３０とを備えている。
【００２３】
図１および図２に示すように、筐体１０は、樹脂からなるフロントキャビネット１１およびリアキャビネット１２を含んでいる。
【００２４】
フロントキャビネット１１は、液晶テレビジョン１００の正面側（矢印Ｙ１方向側）に配置されている。このフロントキャビネット１１は、正面（矢印Ｙ１方向側）から見て略矩形形状の開口部１１ａを有する矩形状の枠形状を有している。開口部１１ａは、液晶表示モジュール２０の液晶表示セル７０を露出させるために設けられている。
【００２５】
リアキャビネット１２は、液晶テレビジョン１００の背面側（矢印Ｙ２方向側）に配置され、前面側のフロントキャビネット１１に嵌合するように構成されている。また、リアキャビネット１２は、正面から見て（矢印Ｙ１方向側から見て）略矩形形状の外形を有するとともに、後方（矢印Ｙ２方向側）に凹む凹形状に形成されている。
【００２６】
図２に示すように、液晶表示モジュール２０は、フロントキャビネット１１およびリアキャビネット１２の内部に収容されている。また、図３に示すように、液晶表示モジュール２０は、それぞれアルミなどの板金からなるフロントベゼル２１およびリアフレーム２２と、フロントベゼル２１およびリアフレーム２２の間に配置されたモールドフレーム２３と、バックライト部５０および液晶表示セル７０とを含んでいる。なお、リアフレーム２２は、本発明の「保持部材」の一例である。
【００２７】
図２および図３に示すように、フロントベゼル２１は、液晶表示モジュール２０の正面側（矢印Ｙ１方向側）に配置されている。このフロントベゼル２１は、フロントキャビネット１１の背面（矢印Ｙ２方向側の面）に取り付けられる。また、フロントベゼル２１は、正面から見て（矢印Ｙ１方向側から見て）略矩形形状の外形を有するとともに、略矩形形状の開口部２１ａを有している。具体的には、図３に示すように、フロントベゼル２１は、開口部２１ａを有する前面部２１ｂと、前面部２１ｂの外周部（Ｙ方向およびＺ方向の両端部）から前面部２１ｂに対して略垂直方向（矢印Ｙ２方向）に延びる側壁部２１ｃとを有している。開口部２１ａは、液晶表示セル７０を露出させるために設けられている。また、開口部２１ａの開口面積は、フロントキャビネット１１の開口部１１ａよりも大きくなるように構成されている。
【００２８】
図２および図３に示すように、リアフレーム２２は、液晶表示モジュール２０の背面側（Ｙ２方向側）に配置されている。このリアフレーム２２は、図３および図５に示すように、正面（矢印Ｙ１方向側）から見て略矩形形状の外形を有するとともに、後方（矢印Ｙ２方向側）に凹む凹形状に形成されている。図３に示すように、リアフレーム２２は、平坦な板状の背面部２２ａと、背面部２２ａの外周部（Ｙ方向およびＺ方向の両端部）から背面部２２ａに対して略垂直方向（矢印Ｙ１方向）に延びる板状の側壁部２２ｂとを有している。リアフレーム２２は、後述するＬＥＤ基板５２（図４参照）および導光板５３などを保持するように構成されている。
【００２９】
また、第１実施形態では、図５に示すように、リアフレーム２２は、導光板５３を下方から支持する第１支持部４１および第２支持部４２と、導光板５３を位置決めするための凸部４３とを含んでいる。なお、第１実施形態では、第１支持部４１も導光板５３の位置決めを行う機能を有する。なお、第１支持部４１は、本発明の「支持部材」および「第１支持部材」の一例である。また、第２支持部４２は、本発明の「支持部材」および「第２支持部材」の一例である。
【００３０】
図６に示すように、第１支持部４１は、導光板５３の光入射面５３ａ近傍の位置に設けられるとともに、リアフレーム２２の内側下面（側壁部２２ｂの下側内周面）から上方に突出するように形成されている。第１支持部４１には、導光板５３の光入射面５３ａ側（矢印Ｘ１方向側）が低くなるように所定の傾斜角度θ１で傾斜した平坦な上端面からなる傾斜面４１ａと、矢印Ｘ２方向側の側面からなる位置決め部４１ｂとが一体的に形成されている。なお、傾斜面４１ａは、本発明の「第２傾斜面」の一例である。
【００３１】
第２支持部４２は、導光板５３の右側側面５３ｂ近傍の位置に設けられるとともに、リアフレーム２２の内側下面（側壁部２２ｂの下側内周面）から上方に突出するように形成されている。第２支持部４２には、導光板５３の光入射面５３ａ側（矢印Ｘ１方向側）が低くなるように傾斜角度θ１で傾斜した平坦な上端面からなる傾斜面４２ａが一体的に形成されている。なお、傾斜面４２ａは、本発明の「第２傾斜面」の一例である。
【００３２】
凸部４３は、リアフレーム２２の内側上面から下方に突出するように設けられている。凸部４３には、矢印Ｘ２方向側の側面からなる位置決め部４３ａが一体的に形成されている。第１支持部４１の位置決め部４１ｂと凸部４３の位置決め部４３ａとは、横方向（Ｘ方向）の位置が一致するように配置されている。これにより、下側（矢印Ｚ２方向側）の位置決め部４１ｂと上側（矢印Ｚ１方向側）の位置決め部４３ａとは、上下でそれぞれ導光板５３の横方向（Ｘ方向）の位置決めをするように構成されている。
【００３３】
図３に示すように、モールドフレーム２３は、フロントベゼル２１の背面（前面部２１ｂの矢印Ｙ２方向側の面）および側壁部２１ｃの内側面に接するように配置されている。このモールドフレーム２３は、開口部２３ａを有する前側部２３ｂと、前側部２３ｂの外周部（Ｙ方向およびＺ方向の両端部）から前側部２３ｂに対して略垂直方向（矢印Ｙ２方向）に延びる側壁部２３ｃとを有している。なお、モールドフレーム２３の前側部２３ｂの前面側（矢印Ｙ１方向側）中央部には、凹状の段差部２３ｄが設けられている。この段差部２３ｄとフロントベゼル２１との間には、上下方向（Ｚ方向）および左右方向（Ｘ方向）に延びる板状の液晶表示セル７０の外周縁部（Ｙ方向およびＺ方向の両端部近傍部分）が挟み込まれている。これにより、液晶表示セル７０が保持されている。また、モールドフレーム２３の側壁部２３ｃの内側面は、リアフレーム２２の側壁部２２ｂの外側面に接している。
【００３４】
図３に示すように、バックライト部５０は、リアフレーム２２内部に収容されており、リアフレーム２２とモールドフレーム２３の背面（矢印Ｙ２方向側内表面）とに囲まれる空間の内部に保持されている。このバックライト部５０は、液晶表示セル７０の裏面（矢印Ｙ２方向側の面）に対して後方から（矢印Ｙ２方向側から）光を照射するように構成されている。具体的には、バックライト部５０は、点光源である複数のＬＥＤ５１と、ＬＥＤ５１が実装されるＬＥＤ基板５２と、ＬＥＤ５１から入射された光を液晶表示セル７０に導光する導光板５３と、導光板５３に入射された光を液晶表示セル７０側に反射する反射シート５４と、導光板５３から出射された光の輝度などを調整する光学シート５５とを備えている。なお、ＬＥＤ５１は、本発明の「光源」の一例である。
【００３５】
ＬＥＤ５１およびＬＥＤ基板５２は、リアフレーム２２の左側（矢印Ｘ１方向側）の側壁部２２ｂの内側面に取り付けられている。また、図４および図５に示すように、ＬＥＤ５１は、上下に延びるＬＥＤ基板５２の実装面５２ａ（矢印Ｘ２方向側の面）上に、上下方向（Ｚ方向）に沿って所定の間隔を隔てて複数実装されている。なお、ＬＥＤ５１とＬＥＤ基板５２とは、リード端子５１ａを介して接続されている。
【００３６】
図３および図５に示すように、導光板５３は、液晶表示セル７０の裏面側（矢印Ｙ２方向側）に配置されているとともに、Ｘ方向が長い横長の略長方形状の板状に形成されている。この導光板５３は、透光性を有するアクリルなどの樹脂からなる。また、導光板５３は、ＬＥＤ基板５２と平行な上下方向に延びる光入射面５３ａ（矢印Ｘ１方向側の左側側面）と、光入射面５３ａとは反対側の右側側面５３ｂと、長辺側の上端面５３ｃおよび下端面５３ｄとを有している。光入射面５３ａは、ＬＥＤ基板５２のＬＥＤ５１（図４参照）と対向するように、ＬＥＤ５１に対してＸ２方向側に所定の間隔（クリアランス）ＣＬを隔てて配置されている。
【００３７】
また、第１実施形態では、導光板５３は、下端面５３ｄに設けられた凹状の切り欠きからなる第１当接部６１および第２当接部６２と、上端面５３ｃに設けられた位置決め用の凹部６３とを一体的に含んでいる。図６に示すように、第１当接部６１および第２当接部６２の底部（Ｚ１方向側部分）には、それぞれ、光入射面５３ａ側（矢印Ｘ１方向側）が低くなるように傾斜角度θ１で傾斜した平坦な傾斜面６１ａおよび６２ａが一体的に形成されている。第１当接部６１および第２当接部６２の傾斜面６１ａおよび６２ａは、それぞれ、第１支持部４１および第２支持部４２の傾斜面４１ａおよび４２ａと相対移動可能な状態で面接触するように構成されている。なお、第１当接部６１および第２当接部６２は、それぞれ、本発明の「当接部」の一例である。また、傾斜面６１ａおよび６２ａは、それぞれ、本発明の「第１傾斜面」の一例である。
【００３８】
第１当接部６１は、下端面５３ｄから上方に凹む凹部からなり、光入射面５３ａ近傍に配置されている。第１当接部６１には、上記した傾斜面６１ａと、内側面６１ｂおよび６１ｃとが一体的に形成されている。矢印Ｘ２方向側の内側面６１ｂは、光入射面５３ａから距離Ｄ１だけ離間した光入射面５３ａ近傍の位置に設けられ、位置決め部４１ｂと当接するように構成されている。
【００３９】
第２当接部６２は、下端面５３ｄから上方に凹む凹部からなり、右側側面５３ｂ近傍に配置されている。第２当接部６２には、上記した傾斜面６２ａと、内側面６２ｂおよび６２ｃとが一体的に形成されている。
【００４０】
凹部６３は、上端面５３ｃから下方に凹む凹部からなり、光入射面５３ａ近傍に配置されている。凹部６３には、底面６３ａ、内側面６３ｂおよび内側面６３ｃが一体的に形成されている。矢印Ｘ２方向側の内側面６３ｂは、光入射面５３ａから距離Ｄ１だけ離間した光入射面５３ａ近傍の位置に設けられ、位置決め部４３ａと当接するように構成されている。すなわち、下側の第１当接部６１の内側面６１ｂと上側の凹部６３の内側面６３ｂとは、横方向（Ｘ方向）の位置が一致するように配置されている。
【００４１】
第１実施形態では、これらの傾斜面６１ａ（６２ａ）と傾斜面４１ａ（４２ａ）とがそれぞれ面接触することによって、導光板５３がリアフレーム２２の第１支持部４１および第２支持部４２により上下方向（Ｚ方向）に支持されている。導光板５３の下端面５３ｄとリアフレーム２２の内側下面との間は間隔Ｄ２を隔てて離間するように構成されている。つまり、第１支持部４１および第２支持部４２の傾斜面４１ａおよび傾斜面４２ａのみにより、導光板５３の下端部（第１当接部６１および第２当接部６２）が支持されている。この結果、導光板５３は、傾斜面４１ａ（４２ａ）に沿った斜め方向（Ｓ方向）にずれるように移動可能に支持されている。
【００４２】
ここで、傾斜面６１ａ（６２ａ）と傾斜面４１ａ（４２ａ）とは、光入射面５３ａ側（矢印Ｘ１方向側）が低くなるように傾斜角度θ１で傾斜しているため、導光板５３には、自重Ｆｇに対する傾斜面方向（Ｓ１方向）の分力ｆｓが作用する。この結果、図１に示す液晶テレビジョン１００の設置状態において、導光板５３は、ＬＥＤ５１側（矢印Ｓ１方向）に移動可能に付勢されている。この導光板５３のＬＥＤ５１側への移動は、内側面６１ｂと内側面６３ｂとがリアフレーム２２の位置決め部４１ｂと位置決め部４３ａとにそれぞれ当接することにより、停止される。この結果、導光板５３は、ＬＥＤ５１と光入射面５３ａとの間のクリアランスが一定のＣＬとなる位置に位置決めされるとともに、この所定位置に保持されるように構成されている。
【００４３】
なお、傾斜面６１ａ（６２ａ）および傾斜面４１ａ（４２ａ）の傾斜角度θ１は、導光板５３の自重と、傾斜面間に発生する摩擦力とから、導光板５３がＬＥＤ５１側（矢印Ｓ１方向）に付勢されるのに十分な大きさに設定される。導光板５３の重さは、一般的には、１８．５インチ用で約２５０ｇ〜約４００ｇ程度、４０インチ用では約１９００ｇ〜約２５５０ｇ程度とされる。傾斜角度θ１は、このような導光板５３の自重と、材質（摩擦係数）や接触面積などから算出される摩擦力とから、解析的または実験的に取得することができる。
【００４４】
また、導光板５３の熱膨張（または収縮）による寸法変化を考慮して、導光板５３の各部とリアフレーム２２の各部との間には所定の間隔（クリアランス）が設けられている。具体的には、第１当接部６１の幅Ｗ１に比べて、第１支持部４１の幅Ｗ２が小さくなっている。なお、第１当接部６１の幅と第１支持部４１の幅Ｗ２とは、それぞれ上側の凹部６３の幅（Ｗ１）と凸部４３の幅（Ｗ２）と等しい。このため、矢印Ｘ２方向に距離Ｄ３（Ｄ３＝Ｗ１−Ｗ２）だけ導光板５３が移動可能となっている。距離Ｄ３は、導光板５３の位置決め部４１ｂよりも光入射面５３ａ側（矢印Ｘ１方向側）の部分の熱膨張（収縮）による寸法変化を十分に吸収できる程度に大きい。
【００４５】
また、導光板５３の矢印Ｘ２方向の右側側面５３ｂとリアフレーム２２の内側面との間の距離（クリアランス）Ｄ４は、距離Ｄ３よりも大きい。距離Ｄ４は、位置決め部４１ｂよりも右側側面５３ｂ側（矢印Ｘ２方向側）の部分の熱膨張（収縮）による寸法変化を十分に吸収できる程度に大きい。
【００４６】
第２支持部４２の幅Ｗ３は、第１支持部４１の幅Ｗ２よりも小さく、第２支持部４２の両側には、間隔Ｄ５およびＤ６が形成されている。このため、第２支持部４２は、Ｘ方向両側の側面が第２当接部６２の内側面６２ｂおよび６２ｃと当接しないように構成されている。したがって、第２当接部６２は位置決め部としては機能しない。
【００４７】
また、導光板５３の上端面５３ｃとリアフレーム２２の内側上面との間の間隔Ｄ７は、熱膨張（収縮）による導光板５３の上下方向の寸法変化を吸収できる程度に大きい。
【００４８】
以上の寸法関係から、導光板５３の熱膨張（収縮）がないものと仮定した場合、導光板５３は、Ｓ方向に沿って距離Ｄ３（Ｄ３＝Ｗ１−Ｗ２）だけ矢印Ｘ２方向に移動可能で、距離（Ｄ３×ｔａｎθ１）だけ上方（矢印Ｚ１方向）に移動可能である。
【００４９】
図３に示すように、反射シート５４は、表面（矢印Ｙ１方向側の面）が導光板５３の裏面（矢印Ｙ２方向側の面）に接するように、導光板５３とリアフレーム２２の底面との間に配置されている。なお、反射シート５４は、光反射性を有するＰＥＴ（ポリエチレンテレフタラート）などの樹脂からなる。
【００５０】
このような構成により、ＬＥＤ５１からの光は、導光板５３の光入射面５３ａに入射された後、反射シート５４による多重反射を繰り返しながら導光板５３の光出射面５３ｅ（矢印Ｙ１方向側の表面）から出射される。そして、導光板５３の光出射面５３ｅから出射された光は、光学シート５５により輝度などが調整された後、液晶表示セル７０に向けて照射される。これにより、液晶表示セル７０に映像が表示される。
【００５１】
次に、図６〜図８を参照して、第１実施形態による導光板５３の移動動作について説明する。
【００５２】
図６に示すように、導光板５３は、自重に対する傾斜面方向の分力ｆｓによって、ＬＥＤ５１側（矢印Ｘ１方向側）に付勢された状態で支持されている。導光板５３の傾斜面方向の移動は、位置決め部４１ｂと位置決め部４３ａとが、それぞれ導光板５３の第１当接部６１の内側面６１ｂと、凹部６３の内側面６３ｂとに当接することによって停止されている。この結果、導光板５３のＸ方向の位置決めがされている。
【００５３】
この状態において、矢印Ｘ２方向側（矢印Ｓ２方向）に向かう、分力ｆｓに打ち勝つ大きさの外力が導光板５３に加われば、図７に示すように、導光板５３が傾斜面４１ａ（４２ａ、図６参照）に沿ってＬＥＤ５１から離れる方向（矢印Ｓ２方向）に移動する。このとき、導光板５３は、矢印Ｘ２方向に距離Ｄ３だけ移動可能である。この結果、ＬＥＤ５１と光入射面５３ａとのクリアランスは、一時的にＣＬよりも大きくなる（図７の一点鎖線参照）。
【００５４】
この場合でも、図８に示すように、導光板５３に加わる外力がなくなれば、導光板５３は、自重Ｆｇに対する傾斜面方向の分力ｆｓによって、第１当接部６１の内側面６１ｂおよび凹部６３の内側面６３ｂ（図６参照）がそれぞれ位置決め部４１ｂおよび４３ａ（図６参照）に当接するまでＬＥＤ５１側（矢印Ｓ１方向側）に移動する。この結果、ＬＥＤ５１と光入射面５３ａとのクリアランスがＣＬとなる所定位置に導光板５３の位置が復元される（図８の一点鎖線参照）。図１に示すように、液晶テレビジョン１００の使用状態において、横方向の外力が導光板５３に継続的に付与されることはないため、導光板５３は、ＬＥＤ５１と光入射面５３ａとのクリアランスがＣＬとなる所定位置に保持される。
【００５５】
なお、位置決め部４１ｂと位置決め部４３ａとが、それぞれ導光板５３の第１当接部６１の内側面６１ｂと、凹部６３の内側面６３ｂとに当接する位置で導光板５３が係止されるため、導光板５３の熱膨張（収縮）が発生した場合には、光入射面５３ａから位置決め部４１ｂ（４３ａ）までの距離Ｄ１の範囲の導光板５３の寸法変化のみがＬＥＤ５１と光入射面５３ａとのクリアランスＣＬの変化に影響する。第１実施形態では、図５に示すように、位置決め部４１ｂおよび４３ａ（内側面６１ｂおよび内側面６３ｂ）が光入射面５３ａ近傍の位置に配置されているため、熱膨張（収縮）が発生した場合の導光板５３の寸法変化によるクリアランスの変化量が低減されている。
【００５６】
第１実施形態では、上記のように、リアフレーム２２の第１支持部４１および第２支持部４２に、それぞれ導光板５３の光入射面５３ａ側が低くなるように傾斜した傾斜面４１ａおよび４２ａを設けるとともに、第１支持部４１および第２支持部４２を、導光板５３が自重により傾斜面４１ａおよび４２ａに沿ってＬＥＤ５１側に移動可能なように、導光板５３の第１当接部６１および第２当接部６２を支持するように構成することによって、導光板５３の位置ずれが発生してＬＥＤ５１と導光板５３との間のクリアランスが変化した場合でも、導光板５３が自重により傾斜面４１ａおよび４２ａに沿ってＬＥＤ５１側に移動する。このため、導光板５３をＬＥＤ５１側に付勢するバネ部材などを別途設けることなく、ＬＥＤ５１と導光板５３との間のクリアランスがＣＬとなる状態を基準として、ＬＥＤ５１と導光板５３との間のクリアランスの変化を元に戻すことができる。これにより、導光板５３をＬＥＤ５１側に付勢する部材を別途設けることなく、ＬＥＤ５１と導光板５３との間のクリアランスを一定（ＣＬ）に保つことができる。その結果、構造を複雑にさせることなく、ＬＥＤ５１と導光板５３との間のクリアランスを一定（ＣＬ）に保つことができる。
【００５７】
また、第１実施形態では、上記のように、導光板５３の第１当接部６１および第２当接部６２に、それぞれ光入射面５３ａ側が低くなるように傾斜した傾斜面６１ａおよび６２ａを設けるとともに、第１支持部４１および第２支持部４２に、それぞれ傾斜面６１ａおよび６２ａと面接触するとともに相対移動可能に当接する傾斜面４１ａおよび４２ａを設けることによって、導光板５３（傾斜面６１ａおよび６２ａ）を第１支持部４１および第２支持部４２（傾斜面４１ａおよび４２ａ）に対して移動可能にしながら、第１支持部４１および第２支持部４２が導光板５３を安定して支持することができる。
【００５８】
また、第１実施形態では、上記のように、傾斜面６１ａおよび６２ａを、それぞれ導光板５３の第１当接部６１および第２当接部６２に一体的に形成するとともに、傾斜面４１ａおよび４２ａを、それぞれ第１支持部４１および第２支持部４２に一体的に形成することによって、これらの傾斜面を別部材により構成する場合と比べて、部品点数が増加するのを抑制することができる。これによっても、構造が複雑化するのを抑制することができる。
【００５９】
また、第１実施形態では、上記のように、導光板５３の下端部において、光入射面５３ａ側の位置に配置された第１当接部６１と、光入射面５３ａとは反対側の位置に配置された第２当接部６２とを設けるとともに、第１当接部６１および第２当接部６２にそれぞれ対応する第１支持部４１および第２支持部４２を設けることによって、光入射面５３ａ側の位置に配置された第１当接部６１と、光入射面５３ａとは反対側の位置に配置された第２当接部６２とを、それぞれ対応する第１支持部４１と第２支持部４２とにより支持することができる。これにより、導光板５３の下端部を光入射面５３ａ側（矢印Ｘ１方向側）の位置と光入射面５３ａとは反対側（矢印Ｘ２方向側）の位置とで安定して支持することができる。
【００６０】
また、第１実施形態では、上記のように、光入射面５３ａの近傍の位置に配置された第１支持部４１と凸部４３とに、ＬＥＤ５１と導光板５３の光入射面５３ａとがクリアランスＣＬを隔てて配置されるように導光板５３を位置決めする位置決め部４１ｂと位置決め部４３ａとを設けることによって、位置決め部４１ｂおよび４３ａにより、導光板５３が自重により傾斜面（４１ａおよび４２ａ）に沿ってＬＥＤ５１側に移動した場合に、ＬＥＤ５１と導光板５３とがクリアランスＣＬだけ隔てて配置されるように正確に位置決めすることができる。また、位置決め部４１ｂおよび４３ａが光入射面５３ａ近傍の位置に配置されるので、導光板５３の熱膨張に起因するクリアランスＣＬの変化をも抑制することができる。
【００６１】
また、第１実施形態では、上記のように、位置決め部４１ｂを、第１支持部４１に一体的に形成することによって、位置決め部４１ｂを第１支持部４１とは別個に設ける必要がないため、部品点数が増加するのを抑制することができ、その結果、構造を簡素化することができる。
【００６２】
また、第１実施形態では、上記のように、第１支持部４１および第２支持部４２を、リアフレーム２２に一体的に形成することによって、ＬＥＤ５１および導光板５３を保持するリアフレーム２２に第１支持部４１および第２支持部４２が一体形成されるので、部品点数が増加するのを抑制することができる。
【００６３】
（第２実施形態）
次に、図１および図９を参照して、本発明の第２実施形態による液晶テレビジョン２００（図１参照）の構成について説明する。この第２実施形態では、第１支持部４１に位置決め部４１ｂを一体的に形成した上記第１実施形態と異なり、位置決め部１４３ａを第１支持部１４１とは別個に設けるとともに、位置決め部１４３ａが導光板１５３の光入射面１５３ａと当接して導光板１５３の位置決めを行うように構成する例について説明する。なお、液晶テレビジョン２００は、本発明の「液晶表示装置」の一例である。また、第１支持部１４１は、本発明の「支持部材」および「第１支持部材」の一例である。
【００６４】
さらに、第２実施形態では、導光板１５３と第１支持部１４１（第２支持部１４２）との間の摩擦を低減する摩擦低減部材１４４を設ける例についても併せて説明する。なお、第２実施形態による液晶テレビジョン２００のリアフレーム１２２および導光板１５３以外の構成は、上記第１実施形態と同様であるので、説明を省略する。なお、リアフレーム１２２は、本発明の「保持部材」の一例である。また、第２支持部１４２は、本発明の「支持部材」および「第２支持部材」の一例である。
【００６５】
第２実施形態による液晶テレビジョン２００のリアフレーム１２２は、アルミなどの板金からなり、導光板１５３を下方から支持する第１支持部１４１および第２支持部１４２と、導光板５３を位置決めするための上下一対の凸部１４３とを一体的に含んでいる。
【００６６】
第１支持部１４１は、導光板１５３の光入射面１５３ａ近傍の位置に設けられるとともに、リアフレーム１２２の内側下面から上方に突出するように形成されている。第１支持部１４１には、導光板１５３の光入射面１５３ａ側（矢印Ｘ１方向側）が低くなるように所定の傾斜角度θ２で傾斜した平坦な上端面からなる傾斜面１４１ａが一体的に形成されている。なお、傾斜面１４１ａは、本発明の「第２傾斜面」の一例である。
【００６７】
第２支持部１４２は、導光板１５３の右側側面１５３ｂ近傍の位置に設けられるとともに、リアフレーム１２２の内側下面から上方に突出するように形成されている。第２支持部１４２には、導光板１５３の光入射面１５３ａ側（矢印Ｘ１方向側）が低くなるように傾斜角度θ２で傾斜した平坦な上端面からなる傾斜面１４２ａが一体的に形成されている。ここで、第２実施形態では、傾斜面１４１ａおよび傾斜面１４２ａの傾斜角度θ２は、上記第１実施形態の傾斜面４１ａおよび傾斜面４２ａの傾斜角度θ１よりも小さい。なお、傾斜面１４２ａは、本発明の「第２傾斜面」の一例である。
【００６８】
第２実施形態では、第１支持部１４１の傾斜面１４１ａと、第２支持部１４２の傾斜面１４２ａとには、それぞれ、略全面にわたって摩擦低減部材１４４が設けられている。摩擦低減部材１４４は、低摩擦係数を有するシート状部材からなり、傾斜面１４１ａと傾斜面１４２ａとにそれぞれ貼り付けられている。摩擦低減部材１４４としては、たとえばＰＴＦＥなどのフッ素樹脂系シートなど、公知のものを用いることができる。摩擦低減部材１４４としては、アクリルなどの樹脂からなる導光板１５３と、アルミなどの板金からなる傾斜面１４１ａおよび傾斜面１４２ａ（リアフレーム１２２）との間の摺動時の摩擦抵抗を低減させることが可能であればよい。
【００６９】
一対の凸部１４３は、リアフレーム１２２のＬＥＤ５１側（矢印Ｘ１方向側）の端部近傍において、リアフレーム１２２の内側上面および内側下面から内側に突出し、上下に対向するように設けられている。各凸部１４３には、それぞれ、矢印Ｘ２方向側の側面からなる位置決め部１４３ａが一体的に形成されている。上下一対の凸部１４３の位置決め部１４３ａは、横方向（Ｘ方向）の位置が一致するように配置されており、上下でそれぞれ導光板１５３の光入射面１５３ａと当接して、導光板１５３の横方向（Ｘ方向）の位置決めをするように構成されている。位置決め部１４３ａは、導光板１５３の光入射面１５３ａが位置決め部１４３ａと当接した状態で、光入射面５３ａがＬＥＤ５１に対して矢印Ｘ２方向側に所定の間隔（クリアランス）ＣＬを隔てて配置される所定位置に配置されている。
【００７０】
また、第２実施形態では、導光板１５３は、下端面１５３ｄに設けられた凹状の切り欠きからなる第１当接部１６１および第２当接部１６２を一体的に含んでいる。第１当接部１６１は光入射面１５３ａ側に設けられ、第２当接部１６２は、右側側面１５３ｂ側（矢印Ｘ２方向側）に設けられている。第１当接部１６１および第２当接部１６２の底部（Ｚ１方向側部分）には、それぞれ、光入射面１５３ａ側（矢印Ｘ１方向側）が低くなるように傾斜角度θ２で傾斜した平坦な傾斜面１６１ａおよび１６２ａが一体的に形成されている。傾斜面１６１ａおよび傾斜面１６２ａは、それぞれ、第１支持部１４１の傾斜面１４１ａおよび第２支持部１４２の傾斜面１４２ａと、相対移動可能な状態で摩擦低減部材１４４を介して面接触するように構成されている。なお、第１当接部１６１および第２当接部１６２は、それぞれ、本発明の「当接部」の一例である。
【００７１】
第２実施形態では、導光板１５３の光入射面１５３ａで導光板１５３の位置決めを行うため、第１当接部１６１（および第２当接部１６２）は、第１支持部１４１（第２支持部１４２）とＸ方向には当接することがないように構成されている。すなわち、第２実施形態では、第１当接部１６１の幅Ｗ１１が、第１支持部１４１の幅Ｗ１２よりも十分に大きい。同様に、第２当接部１６２の幅Ｗ１３は、第２支持部１４２の幅Ｗ１４よりも十分に大きい。このため、導光板１５３がＸ方向に移動した場合にも、第１当接部１６１（および第２当接部１６２）は、第１支持部１４１（第２支持部１４２）とはＸ方向に接触しない。
【００７２】
以上のような構成により、第２実施形態では、第１当接部１６１の傾斜面１６１ａおよび第２当接部１６２の傾斜面１６２ａが、それぞれ、第１支持部１４１の傾斜面１４１ａおよび第２支持部１４２の傾斜面１４２ａによって、上下方向（Ｚ方向）に支持されている。導光板１５３の下端面１５３ｄとリアフレーム１２２の内側下面との間は間隔Ｄ１２を隔てて離間するように構成されている。つまり、第１支持部１４１および第２支持部１４２の傾斜面１４１ａおよび傾斜面１４２ａのみにより、導光板１５３の下端部（第１当接部１６１および第２当接部１６２）が支持されている。この結果、導光板１５３は、傾斜面１４１ａ（１４２ａ）に沿った斜め方向（Ｔ方向）にずれるように移動可能なように支持されている。
【００７３】
また、導光板１５３は、自重Ｆｇに対する傾斜面方向（Ｔ１方向）の分力ｆｔが作用する結果、ＬＥＤ５１側（矢印Ｔ１方向）に移動可能に付勢されている。第２実施形態では、この導光板１５３のＬＥＤ５１側への移動は、光入射面１５３ａの上下端部近傍がそれぞれリアフレーム１２２の上下の位置決め部１４３ａに当接することにより、停止される。この結果、導光板１５３は、ＬＥＤ５１と光入射面１５３ａとの間のクリアランスが一定のＣＬとなる位置に位置決めされるとともに、この所定位置に保持されるように構成されている。
【００７４】
なお、第２実施形態では、導光板１５３が傾斜面方向（Ｔ１方向）の分力ｆｔによってＬＥＤ５１側に付勢されており、かつ、位置決め部１４３ａが導光板１５３のＬＥＤ５１側端面である光入射面１５３ａに当接する位置で導光板１５３が係止されるため、導光板１５３の熱膨張（収縮）が発生した場合にも、光入射面１５３ａの位置に変化は生じない。つまり、導光板１５３が膨張した場合および導光板１５３が収縮した場合のいずれにおいても、光入射面１５３ａと位置決め部１４３ａとの接触が維持されるため、ＬＥＤ５１と光入射面１５３ａとの間のクリアランスＣＬが変化することがない。
【００７５】
第２実施形態では、上記のように、リアフレーム１２２の第１支持部１４１（第２支持部１４２）に、それぞれ導光板１５３の光入射面１５３ａ側が低くなるように傾斜した傾斜面１４１ａ（１４２ａ）を設けるとともに、第１支持部１４１（第２支持部１４２）を、導光板１５３が自重により傾斜面１４１ａ（１４２ａ）に沿ってＬＥＤ５１側に移動可能なように、導光板１５３の第１当接部１６１（第２当接部１６２）を支持するように構成することによって、導光板１５３の位置ずれが発生してＬＥＤ５１と導光板１５３との間のクリアランスＣＬが変化した場合でも、導光板１５３が自重により傾斜面１４１ａおよび１４２ａに沿ってＬＥＤ５１側に移動する。これにより、ＬＥＤ５１と導光板１５３との間のクリアランスＣＬの変化を元に戻すことができるので、導光板を光源側に付勢する部材を別途設けることなく、ＬＥＤ５１と導光板５３との間のクリアランスＣＬを一定に保つことができる。その結果、構造を複雑にさせることなく、光源と導光板との間のクリアランスを一定に保つことができる。
【００７６】
また、第２実施形態では、上記のように、位置決め部１４３ａを、導光板１５３の光入射面１５３ａと当接して導光板１５３の位置決めを行うように構成することによって、ＬＥＤ５１側の側方端面である光入射面１５３ａと当接して位置決めを行うため、導光板１５３の位置ずれに加えて、導光板１５３の熱膨張に起因するクリアランスＣＬの変化も防止することができる。すなわち、第２実施形態では、導光板１５３が自重により傾斜面１４１ａ（１４２ａ）に沿ってＬＥＤ５１側に移動するので、熱膨張により導光板１５３の寸法が変化したとしても、光入射面１５３ａが位置決め部１４３ａと当接する位置まで導光板１５３をＬＥＤ５１側に移動させることができる。この結果、ＬＥＤ５１と光入射面１５３ａとのクリアランスＣＬを確実に一定に保つことができる。
【００７７】
また、第２実施形態では、上記のように、導光板１５３の第１当接部１６１（第２当接部１６２）と第１支持部１４１（第２支持部１４２）との間に摩擦低減部材１４４を設けることによって、摩擦低減部材１４４によって導光板１５３を傾斜面１４１ａ（１４２ａ）に沿って移動させやすくすることができる。これにより、傾斜面１４１ａ（１４２ａ）の傾斜角度θ２が小さくても、容易に、導光板１５３を自重によって傾斜面１４１ａ（１４２ａ）に沿って移動させることができる。このため、第２実施形態では、傾斜面１４１ａ（１４２ａ）の傾斜角度θ２を第１実施形態の傾斜角度θ１よりも小さくしても、第１実施形態と同様の効果を得ることができる。
【００７８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７９】
たとえば、上記第１および第２実施形態では、本発明を液晶表示装置としての液晶テレビジョンに適用する例を示したが、本発明はこれに限らない。本発明は、ＰＣ（Ｐｅｒｓｏｎａｌ  Ｃｏｍｐｕｔｅｒ）のモニタなどの他の液晶表示装置にも適用可能である。
【００８０】
また、上記第１および第２実施形態では、導光板の下端部において、２つの当接部をそれぞれ光入射面側（矢印Ｘ１方向側）と右側側面側（矢印Ｘ２方向側）とに配置し、リアフレームに２つの支持部を対応させて配置した例を示したが、本発明はこれに限らない。本発明では、図１０に示す第１変形例のように、導光板２５３に当接部２６１を１つだけ設けるとともに、対応する支持部２４１を１つだけ設けてもよい。なお、支持部２４１は、本発明の「支持部材」の一例である。
【００８１】
この第１変形例では、導光板２５３の下端面２５３ｄの全面にわたって、当接部２６１の傾斜面２６１ａが形成されている。支持部２４１は、リアフレーム２２２のＸ方向の略中央部に設けられ、傾斜面２４１ａを一体的に含んでいる。支持部２４１は、上記第１および第２実施形態の第１支持部４１（１４１）の幅Ｗ２（Ｗ１２）よりも大きい幅Ｗ２２を有している。このため、１つの支持部２４１だけでも、安定して導光板２５３を支持することが可能である。このように、本発明では、当接部と支持部とを、それぞれ１つだけ設けてもよい。なお、リアフレーム２２２は、本発明の「保持部材」の一例である。また、傾斜面２６１ａは、本発明の「第１傾斜面」の一例であり、傾斜面２４１ａは、本発明の「第２傾斜面」の一例である。
【００８２】
また、上記第１および第２実施形態では、導光板を略長方形状に形成して、凹状の切り欠きからなる当接部（第１当接部および第２当接部）に傾斜面を形成した例を示したが、本発明はこれに限らない。本発明では、図１０に示した上記第１変形例のように、導光板２５３を上端面２５３ｃおよび下端面２５３ｄが全面にわたって傾斜した平行四辺形に形成してもよい。また、本発明では、平行四辺形以外にも、導光板の下端面のみが、略全面にわたって傾斜していてもよい。
【００８３】
また、上記第１および第２実施形態では、導光板の下端面に当接部（第１当接部および第２当接部）を形成した例を示したが、本発明はこれに限らない。本発明では、図１１に示した第２変形例のように、当接部３６１を導光板３５３の右側側面３５３ｂと下端面３５３ｄとの両方にわたって形成してもよい。すなわち、当接部３６１は、導光板３５３の下端部に設けられていればよく、図１１の第２変形例のように、右下隅部に当接部３６１が設けられていてもよい。この第２変形例では、当接部３６１の傾斜面３６１ａと支持部材３４１の傾斜面３４１ａとが当接するとともに、光入射面３５３ａの上下端近傍がそれぞれリアフレーム３２２の上下一対の位置決め部３４３ａと当接する。これにより、導光板３５３が自重によって支持部材３４１の傾斜面３４１ａに沿ってＬＥＤ５１側に付勢されるとともに、上下一対の位置決め部３４３ａと当接して位置決めおよび係止される。なお、リアフレーム３２２は、本発明の「保持部材」の一例である。また、傾斜面３６１ａおよび傾斜面３４１ａは、それぞれ、本発明の「第１傾斜面」および「第２傾斜面」の一例である。
【００８４】
また、上記第１および第２実施形態では、リアフレームに支持部を一体的に形成した例を示したが、本発明はこれに限らない。本発明では、図１１に示した上記第２変形例のように、支持部材３４１をリアフレーム３２２とは別個に設けてもよい。第２変形例では、リアフレーム３２２の右下隅に収まる三角形状の支持部材３４１を設けている。支持部材３４１は、リアフレーム３２２の内側を向く傾斜面３４１ａにより、当接部３６１の傾斜面３６１ａを相対移動可能に支持している。
【００８５】
また、上記第１および第２実施形態では、導光板の当接部（第１当接部および第２当接部）と、支持部（第１支持部および第２支持部）との両方に、それぞれ傾斜面を形成した例を示したが、本発明はこれに限らない。本発明では、導光板の当接部または支持部のいずれか一方のみに、傾斜面を設けてもよい。すなわち、導光板の当接部に傾斜面を形成するとともに、凸部からなる支持部の上端面は傾斜しない平坦面としてもよい。この場合、凸部からなる支持部の上端部では、角部のみが当接部の傾斜面と略線接触の状態で当接する。同様に、導光板の当接部を下方に突出する傾斜しない凸部として形成するとともに、支持部の上端面を傾斜面としてもよい。
【符号の説明】
【００８６】
１０  筐体
２０  液晶表示モジュール
２２、１２２、２２２、３２２  リアフレーム（保持部材）
４１、１４１  第１支持部（支持部材、第１支持部材）
４１ａ、１４１ａ  傾斜面（第２傾斜面）
４１ｂ  位置決め部
４２、１４２  第２支持部（支持部材、第２支持部材）
４２ａ、１４２ａ  傾斜面（第２傾斜面）
４３ａ  位置決め部
５１  ＬＥＤ（光源）
５３、１５３、２５３、３５３  導光板
５３ａ、１５３ａ、３５３ａ  光入射面
６１、１６１  第１当接部（当接部）
６１ａ、１６１ａ  傾斜面（第１傾斜面）
６２、１６２  第２当接部（当接部）
６２ａ、１６２ａ  傾斜面（第１傾斜面）
７０  液晶表示セル
１００、２００  液晶テレビジョン（液晶表示装置）
１４３ａ、３４３ａ  位置決め部
１４４  摩擦低減部材
２４１  支持部（支持部材）
２４１ａ  傾斜面（第２傾斜面）
２６１、３６１  当接部
２６１ａ、３６１ａ  傾斜面（第１傾斜面）
３４１  支持部材
３４１ａ  傾斜面（第２傾斜面）
【図１】
2012230243.tif 000003
【図２】
2012230243.tif 000004
【図３】
2012230243.tif 000005
【図４】
2012230243.tif 000006
【図５】
2012230243.tif 000007
【図６】
2012230243.tif 000008
【図７】
2012230243.tif 000009
【図８】
2012230243.tif 000010
【図９】
2012230243.tif 000011
【図１０】
2012230243.tif 000012
【図１１】
2012230243.tif 000013